(57)【特許請求の範囲】
【請求項１】
複数の開口部とそこを通して伸びている複数のそれぞれのコネクターピンを有するアッセンブリーに取り付けられることによって前記アッセンブリーを抽出するための抽出ツールであって、
前記アッセンブリーを引き抜くために、各々が第一の中央孔とロッキング端を有する、１つ以上の全体的に円筒状の引き抜き構造と、
各々が対応する引き抜き構造の第一の中央孔内を同軸状に平行移動するように構成された１つ以上の充填材ロッドであって、充填材ロッドはコネクターピンの１つを受け入れるように構成された第二の中央孔を有するものと、を含み、
引き抜き構造は、ロッキング端がアッセンブリーの第一のサイドと係合するように、開口部の選択された１つを通して伸びるよう構成されており、
充填材ロッドは、引き抜き構造のロッキング端上に外向きに放射状の圧力を印加するように、引き抜き構造内で、選択された開口部を通して伸びているコネクターピンの周りを平行移動するよう構成されている、抽出ツール。
【請求項２】
充填材ロッドは、充填材ロッドの一部分が引き抜き構造のロッキング端に隣接するように伸びるよう構成されている、請求項１の抽出ツール。
【請求項３】
引き抜き構造は、複数の尖叉を含む、請求項１の抽出ツール。
【請求項４】
ロッキング端は、引き抜き構造が選択された開口部を通して伸びる時にアッセンブリーのサイドに接触するように構成された表面を有する複数の全体的に楔形状の構造を含む、請求項１の抽出ツール。
【請求項５】
３つ以上の引き抜き構造が、等間隔で配置される、請求項１の抽出ツール。
【請求項６】
充填材ロッドに結合されたハンドルであって、ハンドルは引き抜き構造に対してばねで付勢されているものを更に含む、請求項５の抽出ツール。
【請求項７】
複数の開口部とそこを通して伸びている複数のそれぞれのコネクターピンを有するアッセンブリーを抽出する方法であって、
第一の中央孔とロッキング端を有する全体的に円筒状の引き抜き構造を提供することと、
対応する引き抜き構造の第一の中央孔内を同軸状に平行移動するように構成された充填材ロッドを提供することであって、充填材ロッドはコネクターピンの１つを受け入れるように構成された第二の中央孔を有するものであることと、
ロッキング端がアッセンブリーの第一のサイドと係合するように、開口部の選択された１つを通して引き抜き構造を挿入することと、
引き抜き構造のロッキング端上に外向きに放射状の圧力を印加するように、引き抜き構造内で、カードアッセンブリーに向けて、選択された開口部を通して伸びているコネクターピンの周りで、充填材ロッドをスライドさせることと、
前記ロッキング端を引っ張ることで、引き抜き構造の軸と平行な方向にカードアッセンブリーを抽出することと、を含む方法。
【請求項８】
充填材ロッドの一部分が、引き抜き構造のロッキング端と隣接するように、充填材ロッドを伸ばすことを含む、請求項７の方法。
【請求項９】
引き抜き構造は、複数の尖叉を含む、請求項７の方法。
【請求項１０】
ロッキング端は、引き抜き構造が選択された開口部を通して伸びる時にアッセンブリーのサイドに接触するように構成された表面を有する複数の全体的に楔形状の構造を含む、請求項７の方法。
【請求項１１】
３つ以上の引き抜き構造が、等間隔で配置される、請求項１０の方法。
【請求項１２】
充填材ロッドに結合されたハンドルを提供することを更に含み、抽出するステップは、ハンドルを引き抜き構造に対して平行移動させることを含む、請求項７の方法。
【請求項１３】
カードアッセンブリーに機械的に結合された複数の開口部とそこを通して伸びている複数のそれぞれのコネクターピンを有するカードアッセンブリーを掴むことによって前記カードアッセンブリーを抽出するための抽出ツールであって、
前記カードアッセンブリーを引き抜くために、各々が第一の中央孔とそれぞれのロッキング端で終端された尖叉のセットを有する、複数の全体的に円筒状の引き抜き構造と、
各々が対応する引き抜き構造の第一の中央孔内を同軸状に平行移動するように構成された複数の充填材ロッドであって、充填材ロッドはコネクターピンの１つを受け入れるように構成された第二の中央孔を有するものと、を含み、
引き抜き構造は、ロッキング端が、選択された開口部を通して通過する時に放射状に内向きに曲がり、それから開口部を通して伸ばされた時にカードアッセンブリーの第一のサイドと係合するように、開口部の選択された１つを通して伸びるよう構成されており、
充填材ロッドは、引き抜き構造のロッキング端上に外向きに放射状の圧力を印加するように、引き抜き構造内で、選択された開口部を通して伸びているコネクターピンの周りを平行移動するよう構成されている、抽出ツール。
【請求項１４】
充填材ロッドは、充填材ロッドの一部分が引き抜き構造のロッキング端に隣接するように伸びるよう構成されている、請求項１３の抽出ツール。
【請求項１５】
ロッキング端は、引き抜き構造が選択された開口部を通して伸びる時にアッセンブリーのサイドに接触するように構成された表面を有する複数の全体的に楔形状の構造を含む、請求項１３の抽出ツール。
【請求項１６】
３つ以上の引き抜き構造が、等間隔で配置される、請求項１３の抽出ツール。
【請求項１７】
充填材ロッドに結合されたハンドルであって、ハンドルは引き抜き構造に対してばねで付勢されているものを更に含む、請求項１６の抽出ツール。
【請求項１８】
充填材ロッドの放射状の動きを防ぐように構成された充填材ガイドを更に含む、請求項１３の抽出ツール。
【請求項１９】
引き抜き構造を取り付けるように構成された引き抜きガイドを更に含む、請求項１３の抽出ツール。
【請求項２０】
引き抜きガイドは、前記カードアッセンブリーを受け入れるように構成された空洞を含む、請求項１９の抽出ツール。
【発明の詳細な説明】
【技術分野】
【０００１】
［関連出願へのクロスリファレンス］この出願は、２００９年７月１３日に出願された米国仮特許出願番号61/225,081の優先権を主張する。この出願はまた、２０１０年２月２日に出願された米国非仮特許出願番号12/703,536の優先権を主張する。
【０００２】
［政府権利］この発明は、契約番号N00019-04-C-0569の下での米国政府サポートでなされた。米国政府はこの発明にいくらかの権利を有する。
【０００３】
本発明は、全体的にハウジングおよびその他の構造からの回路カードアッセンブリー（ＣＣＡｓ）のような穴開き構造の取り外しに関する。
【背景技術】
【０００４】
様々なミサイルシステムを含んだ或る種の構造は、１つ以上の電子的サブシステムの間の接続を成し遂げるために、接合されたコネクターペア内に配置された１つ以上の回路カードアッセンブリー（ＣＣＡｓ）を含み得る。ＣＣＡは、典型的にはそれを通して複数のコネクターピンが挿入される穴開き構造であり、それにより望まれる通りの電気的接続性を提供する。
【０００５】
再使用の関心から、そのようなＣＣＡを構造から取り外すことがしばしば望ましい。しかしながら、取り外しは、容易に破損されるコネクターピンや電気的接続のためにコネクターピンに対して押圧する柔らかい銅でメッキされたコンタクトタブの存在を含んだ様々な要因によって複雑化されることができる。
【０００６】
そのようなコネクターを取り外す既知の方法は、例えば、歯科用ピックと両面テープを含むが、その両方共は信頼性がなく、煩わしく、手間がかかり、そうでなければ満足なものではない。
【０００７】
従って、コネクターアッセンブリーをそれらの周囲の構造から取り外すための簡単で繰り返し可能な方法を提供することが望ましい。本発明のその他の望ましい特徴および特性は、同伴する図面と前述の技術分野および背景との関係で取られた時に、後続の詳細な記載と添付の請求項から明らかとなるであろう。
【発明の概要】
【発明が解決しようとする課題】
【０００８】
一実施形態に従って、抽出ツールは、多数の開口部と開口部を通して伸びている多数のそれぞれのコネクターピンを有するタイプのアッセンブリー（例えば、回路カードアッセンブリー）を掴むように構成されている。ツールは、各々が中央孔とロッキング端を有する、１つ以上の全体的に円筒状の引き抜き構造を含む。充填材ロッドが、引き抜き構造の中央孔内を同軸状に平行移動する。充填材ロッドは、コネクターピンの１つを受け入れるように構成された中央孔を有する。引き抜き構造は、ロッキング端がアッセンブリーの反対のサイドと係合するように、開口部の１つを通して伸びるよう構成されている。充填材ロッドは、引き抜き構造のロッキング端上に外向きに放射状の圧力を印加するように、引き抜き構造内で、選択された開口部を通して伸びているコネクターピンの周りを平行移動するよう構成されている。
【０００９】
本発明のより完全な理解は、以下の図面との関係で考察された時に詳細な記載と請求項を参照することによって導き出され得て、そこでは図面を通して同様の参照番号は同様の要素を参照する。
【図面の簡単な説明】
【００１０】
【図１】図１は、様々な実施形態に従った抽出ツールの動作を記載するのに有用な例示的回路カードアッセンブリーを描いている。
【図２】図２は、一実施形態に従った抽出ツールの一側面の拡大した部分的断面図である。
【図３】図３は、図２に描かれた抽出ツールの動作を描いている。
【図４】図４は、図２に描かれた抽出ツールの動作を描いている。
【図５】図５は、例示的抽出ツールの分解図である、
【図６】図６は、図５に示された充填材ロッドの斜視図である。
【図７】図７は、図５に示された充填材ガイドの斜視図である。
【図８】図８は、図５に示された引き抜き構造の斜視図である。
【図９】図９は、図５に示された引き抜きガイドの斜視図である。
【図１０】図１０は、一実施形態に従った抽出ツールの動作を描いている。
【図１１】図１１は、一実施形態に従った抽出ツールの動作を描いている。
【図１２】図１２は、一実施形態に従った抽出ツールの動作を描いている。
【発明を実施するための形態】
【００１１】
以下の詳細な記載は、単に描写的な性質のものであって、発明または発明の応用と使用を限定することは意図されていない。しかも、先行する技術分野、背景、概要または以下の詳細な記載中に提示されたいかなる明示的または暗示的な理論によっても束縛されることは意図されていない。簡潔さの目的で、回路カード、コネクター等に関する多くの従来の技術および原理は、ここには詳細に記載されない。
【００１２】
全般的に、本主題は、多数の開口部とそこを通して伸びている多数のコネクターピンを有するタイプのアッセンブリー（例えば、回路カードアッセンブリー）を掴むように構成された抽出ツールに関し、そこではピンはカードアッセンブリーに何らかのやり方で、例えば、コネクターピンのサイドに対して押圧するコンタクトタブを介して、機械的に結合されている。
【００１３】
以下に詳細に記載されるように、抽出ツールは、各々が中央孔とロッキング端を有する、１つ以上の全体的に円筒状の引き抜き構造を含む。充填材ロッドが、引き抜き構造の中央孔内を同軸状に平行移動し、コネクターピンの１つを受け入れるように構成された中央孔を有する。引き抜き構造は、ロッキング端がアッセンブリーの反対のサイドと係合するように、開口部の１つを通して伸びるよう構成されている。その後、充填材ロッドは、引き抜き構造のロッキング端上に外向きに放射状の圧力を印加するように、引き抜き構造内で、選択された開口部を通して伸びているコネクターピンの周りを平行移動する。このようにして、抽出ツールは、関連するコネクターピンを破損することなく、素早く回路カードアッセンブリーを掴むことを、オペレータ−に許容する。
【００１４】
図１は、様々な実施形態を記載するのに有用な、例示的穴開き構造、この場合は回路カードアッセンブリー（または「ＣＣＡ」）を描いている。示されるように、ＣＣＡは全体的に、多数の開口部（例えば、円形開口部）１０４を有するガイド構造１０２（例えば、ファイバーガラスディスク）を含む。ガイド構造１０２に取り付けられているのは、そこを通して伸びるコネクターピンのサイド（図１には図示せず）に対して押圧するように構成されている開口部１０８（この実施形態では、十字形状の切り込み）を有する、導電性で柔軟な層１０６の何らかの形である。図１には示されていないが、ＣＣＡ１００はまた、内部コンポーネンツを保護するために界面シールまたはその他の層にしっかり取り付けられていても良い。ＣＣＡ１００が層１０６によってコネクターピンに非常にきつく保持されることができるので、タスクはすると、ピンを顕著に破損しないやり方でピンからＣＣＡを取り外すことになる。
【００１５】
図２−４の部分的断面図をここで参照すると、様々な実施形態に従った抽出ツールは、各々が中央孔とロッキング端２１２を有する、１つ以上の全体的に円筒状の引き抜き構造２１０を含む。充填材ロッド２２０は、引き抜き構造２１０の中央孔内を同軸状に（即ち、図に対して上と下に）平行移動するように構成されている。
【００１６】
充填材ロッド２２０自体は、コネクターピン２０２の１つを受け入れるように構成された中央孔２２２を有する。つまり、孔２２２は、何らかの受け入れ可能な許容値内でコネクターピン２０２のものよりも僅かに大きい直径を有する。
【００１７】
引き抜き構造２１０は、ロッキング端２１２がアッセンブリーと係合するように、即ちアッセンブリーの１つのサイドに接触することにより、ガイド１０２内の開口部の１つを通して伸びるように構成されている。充填材ロッド２２０は、コネクターピン２０２が孔２２２内をスライドし、充填材ロッド２２０が引き抜き構造２１０のロッキング端２１２上に外向きに放射状の圧力を印加するように、引き抜き構造２１０内を平行移動するよう構成されている。
【００１８】
動作は全体的に図３に示されており、それは引き抜き構造２１０が（そこを通して挿入された後に）ガイド１０２と係合しているが、充填材ロッド２２０は展開されていないものを描いている。図４では、充填材ロッド２２０がその後ピン２０２の上に下向きに動かされており、それによりロッキング端２１２のための放射状のサポートを提供する。
【００１９】
図５は、特定の実施形態に従った抽出ツールの分解図を描いている。示されるように、ハンドルまたはその他の操作可能なコンポーネント５０２が、サポート構造５０５によってスライド可能に受け入れられた中央ロッド５０４に結合されており、ばね５０３を介して構造５０５に対してばねで付勢されている。充填材ロッド２２０は、好適な留め具５０６を介してサポート構造５０５にしっかり留められた充填材ガイドを介してサポート構造５０５にしっかり取り付けられて（および図７に示されるような開口部７０２を通してフィットして）いる。図６に示されるように、充填材ロッド２２０は、動作中にコネクターピン（図示せず）を受け入れるように構成された中央孔２２２を含む。
【００２０】
引き抜き構造２１０は、（例えば、図９に描かれた開口部９０２を介して）引き抜きガイド５１０にしっかり取り付けられている。特定の実施形態では、図８を短く参照すると、引き抜き構造２１０は、多数の（例えば、４つの）尖叉またはその他の細長い柔軟な構造と、開口部７０２の反対のサイド上に５１０に対して平たく置かれた肩８０４を含む。開口部７０２は、５０８が５０５に対して平たく置かれるように、２２０の「ヘッド」を収容することが意図されている。
【００２１】
図１０および１１は、図５に描かれた実施形態に従った抽出ツール２００の動作を示している。図１０では、充填材ロッド２２０は、引き抜き構造２１０から引っ込められて示されている。これは、引き抜き構造２１０が取り外されるべきアッセンブリー（描かれていない）内に挿入される前のツール２００の状態である。サポート構造は、ハンドル５０２に向けて上向きに平行移動されている。
【００２２】
図１１では、充填材ロッド２２０が引き抜き構造２１０内で同軸状に平行移動し、それにより引き抜き構造２１０のロッキング端（図示せず）のための軸方向のサポートを提供するように、引き抜き構造２１０が取り外されるべきアッセンブリー（描かれていない）内に挿入された直後、サポート構造５０５は、引き抜きガイド５１０に向けて下向きに平行移動することを許容されている。
【００２３】
尖叉８０２を持った抽出ツールのロッキング端２１２がＣＣＡ１００と接触するようになる時、ＣＣＡ１００中の孔または穴を通してフィットするように尖叉が縦軸に向かってゆがむ。一旦孔を通ると、抽出ツールの尖叉は、尖叉が元の直径まで拡張するように、そこを通して軸方向に平行移動する充填材ロッド２２０を介して拡張される。尖叉がよって拡張されると、アッセンブリー全体はそれから、その周囲の構造から引っ張り出されることができる。ＣＣＡは、このようにして、顕著な保持力を介してコネクター中に保持される。充填材ロッドと組み合わされた強健な尖叉は保持力に抵抗することが可能であり、コネクターを破損すること無くそれが取り外されることができるように、ＣＣＡをしっかりと保持する。
【００２４】
図１２は、例えば、このやり方で抽出された後の典型的なＣＣＡ１００を示している。示されているように、ロッキング端２１２は、充填材ロッド２２０のおかげでＣＣＡ１００をしっかりと掴む。また、この実施形態では、ＣＣＡ１００は、引き抜きガイド５１０中の円筒状の空洞（図１０では空洞９０４として示されている）内にフィットすることに注意されたい。
【００２５】
一実施形態に従って、掴み器は、挿入の２つのピースを揃えるのに使われるＣＣＡ１００中の３つの孔１０４と噛合うが、実施形態はそのように限定はされず、あらゆる特定の数の孔と孔構成を包含する。
【００２６】
抽出ツール５００のコンポーネンツは、あらゆる好適な金属、プラスチック、または複合材料であっても良い。特定の実施形態では、引き抜き構造２１０の尖叉は、金属、例えば、Ａ２８６またはＵＮＳＳ６６２８６鋼である。金属材料の使用は、ツールの剛性と強健性を増加する。
【００２７】
少なくとも１つの例示的実施形態が前述した詳細な記載中に提示されたが、膨大な数の変形が存在することが理解されるべきである。また、ここに記載された例示的実施形態または複数の例示的実施形態は、いかなるやり方でも発明の範囲、適用可能性または構成を限定することは意図されていないことも理解されるべきである。むしろ、前述した詳細な記載は、記載された実施形態または複数の実施形態を実装するための便利でためになるロードマップを当業者に提供する。発明の範囲およびその法的な等価物から逸脱することなく、要素の機能および配置に様々な変更がなされても良いことが理解されるべきである。
【図１】
0005619159.tif 000002
【図２】
0005619159.tif 000003
【図３】
0005619159.tif 000004
【図４】
0005619159.tif 000005
【図５】
0005619159.tif 000006
【図６】
0005619159.tif 000007
【図７】
0005619159.tif 000008
【図８】
0005619159.tif 000009
【図９】
0005619159.tif 000010
【図１０】
0005619159.tif 000011
【図１１】
0005619159.tif 000012
【図１２】
0005619159.tif 000013